(57)【特許請求の範囲】
【請求項１】
空気調和機本体の空気吹出し口に複数枚の左右フラップを備え、これら左右フラップを同期させて自動またはスイングモードで風向制御可能にした壁掛け型空気調和装置において、
上記空気調和機本体の被調和室への据え付け位置信号を出力する据え付け位置スイッチと、上記据え付け位置信号に応じて、自動またはスイングモードにおける複数枚の左右フラップのスイング幅を変化させる制御手段とを備え、
この制御手段は、
上記空気調和機本体が被調和室の略中央部に据え付けられた場合、複数枚の左右フラップを同期させて、空気吹出し口の中心から左右均等に複数のポジションに亘って振り分けられた第一スイング幅内をスイングさせ、
上記空気調和機本体が被調和室の右側に据え付けられた場合、複数枚の左右フラップを同期させて、上記第一スイング幅内の右側の第二スイング幅を除外した残りの第三スイング幅内を前記ポジションと同数のポジションに区分し直してスイングさせ、
上記空気調和機本体が被調和室の左側に据え付けられた場合、複数枚の左右フラップを同期させて、上記第一スイング幅内の左側の第四スイング幅を除外した残りの第五スイング幅内を前記ポジションと同数のポジションに区分し直してスイングさせることを特徴とする壁掛け型空気調和装置。
【請求項２】
上記第二スイング幅が第一スイング幅の略１／４の幅であることを特徴とする請求項1記載の壁掛け型空気調和装置。
【請求項３】
上記第四スイング幅が第一スイング幅の略１／４の幅であることを特徴とする請求項1記載の壁掛け型空気調和装置。
【請求項４】
冷房運転時の左右フラップのスイング幅を暖房運転時のそれよりも狭く制御することを特徴とする請求項１乃至３のいずれか一項記載の壁掛け型空気調和装置。
【発明の詳細な説明】
【０００１】
【発明の属する技術分野】
本発明は壁掛け型空気調和装置に係り、特に空気吹出し口からの風向制御技術および風向表示技術に関する。
【０００２】
【従来の技術】
一般に、空気調和機本体の空気吹出し口に複数枚の左右フラップを備え、これら左右フラップを同期させて自動またはスイングモードで風向制御可能にした壁掛け型空気調和装置が知られている。
【０００３】
この種のものでは、従来、壁掛け型の空気調和機本体が被調和室の略中央部に据え付けられた場合を想定して、複数枚の左右フラップを同期させて、空気吹出し口の中心からほぼ左右均等に振り分けられた所定スイング幅内をスイングさせて風向制御するのが一般的である。
【０００４】
【発明が解決しようとする課題】
しかし、現実的には空気調和機本体が被調和室の略中央部に据え付けられるとはかぎらない。被調和室の形状等の制約を受けて、空気調和機本体が被調和室の右側に片寄って据え付けられることもあれば、左側に片寄って据え付けられることもある。空気調和機本体がいずれかに片寄って据え付けられた場合、空気吹出し口の中心からほぼ左右均等に振り分けられた所定スイング幅内をスイングさせて風向制御したのでは、風の一部が無駄な方向に送られることになり、暖気或いは冷気を、被調和室内にむらなく、すみずみまで到達させることができず、被調和室を均等に空調できないという問題がある。
【０００５】
また、従来、空気吹出し口からの吹出し気流の方向を表示する手段として、例えば、空気吹出し口の略中央、右側および左側の三方向から吹き出される気流を表示する表示器等が提案されている。
【０００６】
しかし、簡単な構成で、吹出し方向の表示数を増加させることができれば、製品のコスト増を伴わず、吹出し気流の制御方向を細かくユーザに報知できるため、その実現が望まれている。
【０００７】
そこで、本発明の目的は、上述した従来の技術が有する課題を解消し、暖気或いは冷気を、被調和室内にむらなく、すみずみまで到達させることができ、吹出し気流の制御方向を細かくユーザに報知することができる、壁掛け型空気調和装置を提供することにある。
【０００８】
【課題を解決するための手段】
請求項１記載の発明は、空気調和機本体の空気吹出し口に複数枚の左右フラップを備え、これら左右フラップを同期させて自動またはスイングモードで風向制御可能にした壁掛け型空気調和装置において、上記空気調和機本体の被調和室への据え付け位置信号を出力する据え付け位置スイッチと、上記据え付け位置信号に応じて、自動またはスイングモードにおける複数枚の左右フラップのスイング幅を変化させる制御手段とを備え、この制御手段は、上記空気調和機本体が被調和室の略中央部に据え付けられた場合、複数枚の左右フラップを同期させて、空気吹出し口の中心から左右均等に複数のポジションに亘って振り分けられた第一スイング幅内をスイングさせ、上記空気調和機本体が被調和室の右側に据え付けられた場合、複数枚の左右フラップを同期させて、上記第一スイング幅内の右側の第二スイング幅を除外した残りの第三スイング幅内を前記ポジションと同数のポジションに区分し直してスイングさせ、上記空気調和機本体が被調和室の左側に据え付けられた場合、複数枚の左右フラップを同期させて、上記第一スイング幅内の左側の第四スイング幅を除外した残りの第五スイング幅内を前記ポジションと同数のポジションに区分し直してスイングさせることを特徴とする。
【０００９】
請求項２記載の発明は、請求項１記載のものにおいて、上記第二スイング幅が第一スイング幅の略１／４の幅であることを特徴とする。
【００１０】
請求項３記載の発明は、請求項１記載のものにおいて、上記第四スイング幅が第一スイング幅の略１／４の幅であることを特徴とする。
【００１１】
請求項４記載の発明は、請求項１乃至３のいずれか一項記載のものにおいて、冷房運転時の左右フラップのスイング幅を暖房運転時のそれよりも狭く制御することを特徴とする。
【００１６】
【発明の実施の形態】
以下、本発明の実施の形態を、図面に基づき説明する。
【００１７】
図１は、壁掛け型空気調和装置の縦断面図である。１は空気調和機本体を示しており、この本体１は壁３に据え付けられている。この本体１内には室内側熱交換器５と、クロスフローファン７とが設置されている。
【００１８】
この本体１の上部１Ａには、上部吸い込み口９がグリル状に一体的に形成され、この上部１Ａの前縁部１Ｂには、吸い込みグリル１１が上端１１Ａを、図示を省略した支点を中心にヒンジ連結した状態で、下端１１Ｂが空気調和機本体１前面から開放自在に取り付けられている。
【００１９】
この吸い込みグリル１１の内側には、フィルタ素材を有した吸い込みフィルタ１３が、昇降自在に取り付けられている。
【００２０】
空気調和機本体１の下部には、スクロール部１７と舌部１９とで囲まれた空気吹出し口２１が形成され、この空気吹出し口２１内には、風向変更板２３が配置されている。この風向変更板２３は、空気吹出し口２１の下側長手方向に延材する幅狭の下側水平板２４と、空気吹出し口２１の上側長手方向に延材する上側水平板２５と、空気吹出し口２１の短手方向に延材する複数枚の左右フラップ２６とを備えて構成されている。空気吹出し口２１内の最も狭まった上流位置には、イオン発生装置２７が取り付けられている。
【００２１】
図２に示すように、下側水平板２４は一枚の幅狭の細長いフラップ２４で構成され、上側水平板２５は下側水平板２４よりも幅広の、長手方向に分割された二枚のフラップ２５Ａ、２５Ｂで構成されている。
【００２２】
それぞれのフラップ２４、２５Ａ、２５Ｂは、それぞれ独立した直流ステッピングモータに接続され、例えば、図３に示すように、それぞれが独立して位相をずらした状態で上下にスイング制御可能に構成されている。
【００２３】
複数枚の左右フラップ２６は、図４に示すように、一枚の細長いプレート３４上に回動自在に取り付けられ、各左右フラップ２６は、各バー３２によって相互に連結されている。そして、相互に連結された各左右フラップ２６の内、図中で右端の左右フラップ２６Ａが、図示を省略した直流ステッピングモータの駆動軸に連結され、このモータが正逆回転されることにより、各左右フラップ２６が同期して姿勢制御される仕組みになっている。
【００２４】
ところで、空気調和機本体１は、図５に示すように、被調和室４１内の略中央に据え付けられたり（空気調和機本体１Ｘ）、被調和室４１内の右側に据え付けられたり（空気調和機本体１Ｙ）、被調和室４１内の左側に据え付けられたりして（空気調和機本体１Ｚ）、被調和室４１内のどこに据え付けられるかは、据え付け時の条件によって変化する。
【００２５】
本実施形態では、空気調和機本体１が被調和室４１の略中央、右側、左側等のどこに据え付けられた場合でも、空気吹出し口２１から吹き出される気流Ｙが、被調和室４１内にむらなく、すみずみまで到達するように、各左右フラップ２６が同期して姿勢制御される。
【００２６】
図６は、制御フローを示す。
【００２７】
まず、冷房運転か暖房運転かが判定される（Ｓ１）。冷房運転時は、図７に示すように、左右フラップのスイング幅Ｗ０が、暖房運転時のスイング幅Ｗ１よりも狭く補正制御される（Ｓ２）。ただし、冷房運転時のスイング幅Ｗ０は、空気調和装置の機種によって変動する。
【００２８】
スイング幅Ｗ０、Ｗ１がいずれであっても、図８Ａに示すように、左右フラップのスイング幅が４等分されて、空気吹出し口２１の中心から左右均等に振り分けられた第一スイング幅Ｗ１（暖房運転時）内に、５つの吹出しポジションＣ▲１▼〜Ｃ▲５▼が設定される（Ｓ３）。
【００２９】
５つの吹出しポジションＣ▲１▼〜Ｃ▲５▼は、気流の方向を示しており、例えば、ポジションＣ▲１▼では、すべての左右フラップ２６が同期して、Ｃ▲１▼で示す方向と略平行に姿勢制御される。
【００３０】
つぎに、自動モード、またはスイングモードの設定が行われているか否かが判定される（Ｓ４）。スイングモードは、すべての左右フラップ２６が同期して、停止することなく、水平方向に常にスイングするモードであり、自動モードは、水平方向にスイングするモードではあるが、空気調和機側の条件によっては停止の動作をも含むモードである。
【００３１】
Ｓ４で、自動またはスイングモードが設定されている場合、空気調和機本体１の据え付け位置が判定される（Ｓ５）。
【００３２】
この据え付け位置は、図５に示すように、被調和室４１の略中央か、右側か、左側かに区別して判定される。
【００３３】
例えば、空気調和機本体１に据え付け位置に応じて切り換えられるディップスイッチ等の据え付けスイッチ（図示せず）が設置され、据え付け工事業者等によって、空気調和機本体１の据え付け位置に応じて、据え付けスイッチが切り換えられると、ここから据え付け位置信号が出力され、この信号により被調和室４１の略中央か、右側か、左側かが判定される。
【００３４】
空気調和機本体１の据え付け位置が、被調和室４１の略中央の場合、図８Ａに示す各ポジションの補正は行われず（Ｓ６）、最初に決めた５つの吹出しポジションＣ▲１▼〜Ｃ▲５▼がそのまま用いられ、このポジションに従う制御が実行される（Ｓ７）。なお、Ｓ４で、自動またはスイングモードでない場合、マニュアルであり、この場合にも、図８Ａに示す各ポジションの補正は行われず（Ｓ６）、最初に決めた５つの吹出しポジションＣ▲１▼〜Ｃ▲５▼がそのまま用いられ、このポジションに従う制御が実行される（Ｓ７）。
【００３５】
これによれば、空気吹出し口２１の中心から左右均等に振り分けられた図８Ａに示す第一スイング幅Ｗ１（暖房運転時）内で、すべての左右フラップ２６がスイングされるため、空調空気を被調和室４１内にむらなく、すみずみまで到達させることができる。
【００３６】
据え付け位置が、被調和室４１の右側の場合、図８Ｂに示すように、各ポジションの補正が行われる（Ｓ８）。
【００３７】
すなわち、第一スイング幅Ｗ１内の右側の第二スイング幅Ｗ２をマスクし、そこを除外した、残りの第三スイング幅Ｗ３が４等分されて、この第三スイング幅Ｗ３内に、新しい５つの吹出しポジションＲ▲１▼〜Ｒ▲５▼が設定され、このポジションに従う制御が実行される（Ｓ９）。上記第二スイング幅Ｗ２は、第一スイング幅Ｗ１の略１／４の幅である。
【００３８】
これによれば、第三スイング幅Ｗ３内で、すべての左右フラップ２６がスイングされるため、空調空気はマスクされた第二スイング幅Ｗ２には供給されず、すべて被調和室４１の左方向に供給されるため、空調空気を被調和室４１内にむらなく、すみずみまで到達させることができる。マスクされた第二スイング幅Ｗ２は、あまり大きすぎても小さすぎても、空調空気の送風にむらが生じる。ここでは、第二スイング幅Ｗ２を第一スイング幅Ｗ１の略１／４の幅に設定したため、むらのない送風が可能になる。
【００３９】
据え付け位置が、被調和室４１の左側の場合、図８Ｃに示すように、各ポジションの補正が行われる（Ｓ１０）。
【００４０】
すなわち、第一スイング幅Ｗ１内の左側の第四スイング幅Ｗ４をマスクし、そこを除外した、残りの第五スイング幅Ｗ５が４等分されて、この第五スイング幅Ｗ５内に、新しい５つの吹出しポジションＬ▲１▼〜Ｌ▲５▼が設定され、このポジションに従う制御が実行される（Ｓ１１）。上記第四スイング幅Ｗ４は、第一スイング幅Ｗ１の略１／４の幅である。
【００４１】
これによれば、第五スイング幅Ｗ５内で、すべての左右フラップ２６がスイングされるため、空調空気はマスクされた第四スイング幅Ｗ４には供給されず、すべて被調和室４１の右方向に供給されるため、空調空気を被調和室４１内にむらなく、すみずみまで到達させることができる。マスクされた第四スイング幅Ｗ４は、あまり大きすぎても小さすぎても、空調空気の送風にむらが生じる。ここでは、第四スイング幅Ｗ４を第一スイング幅Ｗ１の略１／４の幅に設定したため、むらのない送風が可能になる。
【００４２】
図９は、別の実施形態を示す。
【００４３】
図９は、空気吹出し口２１からの気流の流れ方向を表示する表示装置３１を示し、この表示装置３１は、吸い込みグリル１１の前面の長手方向略中央部（図１参照）に取り付けられている。この表示装置３１は、複数のＬＥＤ列３１Ａ〜３１Ｃからなる風向を表示する表示部（風向モニター）と、イオンの発生を表示する表示部（イオンモニター）３１Ｄとを備えて構成されている。
【００４４】
このＬＥＤ３１Ｄは、フィルターサインを兼ねており、フィルターの汚れが検知されると、その汚れの事実を表示し、それ以後、フィルターの汚れが除去されるまで、イオン発生は表示されない。
【００４５】
本実施形態では、各ＬＥＤ列３１Ａ〜３１Ｃが、スイング幅Ｗ１内の空気吹出し口２１からの気流の流れ方向を指し示す。
【００４６】
図１０に示すように、空気吹出し口２１の略中央部（領域Ｃ）に気流が形成された場合、中央縦列のＬＥＤ列（第一手段）３１Ｂが点灯され、空気吹出し口２１の右側（領域Ｅ）に気流が形成された場合、右側縦列のＬＥＤ列（第二手段）３１Ｃが点灯され、空気吹出し口２１の左側（領域Ａ）に気流が形成された場合、左側縦列のＬＥＤ列（第三手段）３１Ａが点灯される。
【００４７】
そして、本実施形態では、これに加え、空気吹出し口２１の略中央部と右側との間（領域Ｄ）に気流が形成された場合、中央縦列のＬＥＤ列（第一手段）３１Ｂと、右側縦列のＬＥＤ列（第二手段）３１Ｃとが複合的に点灯表示され、空気吹出し口２１の略中央部と左側との間（領域Ｂ）に気流が形成された場合、中央縦列のＬＥＤ列（第一手段）３１Ｂと、左側縦列のＬＥＤ列（第三手段）３１Ａとが複合的に点灯表示される。
【００４８】
これによれば、各ＬＥＤ列３１Ａ〜３１Ｃの点灯状態を見ただけで、いずれの方向に気流が形成されているかを確認できる。
【００４９】
また、簡単な構成によって、吹出し方向の表示数を三方向から五方向（Ａ〜Ｅ）に増加させることができるため、製品のコスト増を伴わず、吹出し気流の制御方向を細かくユーザに報知することができる。
【００５０】
さらに、空気吹出し口２１からの風速が変化した場合、各ＬＥＤ列３１Ａ〜３１Ｃの表示形態を変化させることによって、それをユーザに報知することができる。例えば、気流の流れ方向を示す表示形態として、各ＬＥＤ列３１Ａ〜３１Ｃの点灯を、上のＬＥＤから下のＬＥＤに向けて時間をずらして連続的に点灯、消灯させる形態が採用された場合、風速が増すに連れて時間のずれ量を少なくする、等の形態変化が採用される。
【００５１】
これによれば、各ＬＥＤ列３１Ａ〜３１Ｃの表示形態を見ただけで、どの程度の風量かを簡単に確認することができる。
【００５２】
以上、一実施形態に基づいて、本発明を説明したが、本発明はこれに限定されるものではない。上記実施形態では５つの吹出しポジションを例にとって説明したが、ポジションの数はいくつでもよい。
【００５３】
【発明の効果】
本発明では、空気調和機本体の据え付け状態に影響されることなく、空気吹出し口から吹き出される暖気或いは冷気を、被調和室内にむらなく、すみずみまで到達させることができる。
【図面の簡単な説明】
【図１】本発明による壁掛け型空気調和装置の一実施形態を示す縦断面図である。
【図２】壁掛け型空気調和装置を示す斜視図である。
【図３】フラップの制御姿勢を示す斜視図である。
【図４】フラップを分解した状態を示す斜視図である。
【図５】空気調和機本体の据え付け例を示す図である。
【図６】本制御を示すフローチャートである。
【図７】冷房、暖房によるスイング幅を示す図である。
【図８】Ａ〜Ｃは吹出しポジションを説明する図である。
【図９】表示装置を示す図である。
【図１０】別の実施形態を示す図７相当図である。
【符号の説明】
１  空気調和機本体
１１  吸い込みグリル
２１  空気吹出し口
２３  風向変更板
２６  左右フラップ
Ｗ０〜Ｗ５  スイング幅
Ｗ１  第一スイング幅
Ｗ２  第二スイング幅
Ｗ３  第三スイング幅
Ｗ４  第四スイング幅
Ｗ５  第五スイング幅
【図１】
0004737894.tif 000002
【図２】
0004737894.tif 000003
【図３】
0004737894.tif 000004
【図４】
0004737894.tif 000005
【図５】
0004737894.tif 000006
【図６】
0004737894.tif 000007
【図７】
0004737894.tif 000008
【図８】
0004737894.tif 000009
【図９】
0004737894.tif 000010
【図１０】
0004737894.tif 000011